(57)【特許請求の範囲】
【請求項１】
上面に注口を突設し容器の口部に装着する蓋本体と、この蓋本体の注口を施蓋する上蓋と、これら蓋本体と上蓋とを揺動自在に連結するヒンジとを設けたヒンジ付キャップにおいて、ヒンジは、蓋本体の側面と上蓋の側面とを一体に連結する一対の連結片と、これら一対の連結片の間に設けられ蓋本体と上蓋とに連続する連結強化片とから成り、各連結片の各連結部分に肉薄状の屈曲部を左右で略ハの字形状を成すように形成すると共に、各連結片の長手中央部に肉薄状の屈曲溝を形成し、蓋本体の側面における連結片の連結位置及び開放状態にある上蓋の側面における連結片の連結位置よりも上部の位置に連結強化片を連結し、この連結強化片の長手中央部に形成した屈曲溝が各連結片の屈曲溝よりも外側で屈曲するように設け、注口施蓋時に、連結片の屈曲溝の位置と連結強化片の屈曲溝の位置とが同一の水平線上に位置すると共に、連結片の屈曲溝がキャップの外側に向いて僅かに屈曲した状態で固定されるように設けたことを特徴とするヒンジ付キャップ。
【発明の詳細な説明】
【０００１】
【発明の属する技術分野】
本発明は、注口を設けた蓋本体と、この注口を施蓋する上蓋とを揺動自在に連結するヒンジを有するプラスチック製のヒンジ付キャップに関する。
【０００２】
【従来の技術】
この種のヒンジ付キャップとして、実開平４−１０２２５２号公報に記載された弾性反転する蓋体部付きキャップの出願がある。
【０００３】
このキャップは、容器の口部に装着する蓋本体と、この蓋本体の上面に設けた注口を施蓋する上蓋とから成るもので、上蓋の下面にシール筒を突設し、このシール筒を注口の内面に嵌合するようにしたキャップである。そして、蓋本体と上蓋とを揺動自在に連結するヒンジは、合成樹脂製キャップの側面に設けた左右一対の弾性連結板とがヒンジとして機能するものである。
【０００４】
【発明が解決しようとする課題】
ところが、この種のヒンジ付キャップには、次のような課題が残されていた。
【０００５】
第１に、前述の蓋体部付きキャップでは、ヒンジの反発力が弱く、蓋本体と上蓋とを揺動自在に連結できても、ヒンジの反発力のみで大きく開口させる力が弱い点にある。すなわち、この種のヒンジは、合成樹脂製キャップの側面と一対の弾性連結板の連結部分とに略ハの字形状を成すように肉薄部を設けたもので、このように一対の弾性連結板の連結部分を、キャップの側面に対して斜めに形成することで、弾性連結板相互に反発力を生じせしめて、ヒンジとして利用している。ところが、肝心な連結部分が肉薄部となっているので、ヒンジとして機能してもヒンジの弾性力や反発力が弱いので、施蓋状態から開放した上蓋を、ヒンジの反発力のみで大きく開口させる力が脆弱になっていた。
【０００６】
第２に、この種のヒンジ付キャップは、上蓋を注口に施蓋する際に、上蓋の開口部内側縁が注口の縁に接触する不都合である。すなわち、ヒンジで連結されている上蓋は、開放時においてヒンジ側に支持されている。この位置から蓋本体の真上に上蓋を閉じて行くと、上蓋にヒンジの反発力が作用して蓋本体の真上よりも若干ヒンジ側にずれた状態で回転することになる。すると、図７に示すように上蓋１の開口部内側縁が注口２の縁に接触しながら施蓋して行き、上蓋１を係止する係止突状３の上に上蓋１が当接した状態から、更に、上蓋１が係止突状３を越えることで上蓋１が係止突状３に係止することになる。したがって、上蓋１を施蓋するたびに、上蓋１の開口部内側縁が注口２の縁に接触することになり、この注口２に残った注出物が上蓋１によって外部に掻き出される不都合があった。しかも、このような傾向は、ヒンジの反発力が強くなるほど顕著になる。
【０００７】
そこで当出願人は、先に、施蓋時における上蓋の開閉範囲を大きくすることができるキャップのヒンジ装置を提案している（特開平１１−２７８５２０号）。このヒンジは、各ヒンジ片の付根部分に肉薄な折目を設けると共に、各ヒンジ片の長手中央部にフレキシブル性に優れた折溝を設けたものである。このヒンジ装置によって、ヒンジ片の付根部分に設けた肉薄な折目の耐久性を高めると共に、上蓋の回転範囲を広くすることが可能になった。
【０００８】
しかしながら、このヒンジ装置によって、ヒンジ片の付根部分の耐久性を高めることはできても、ヒンジ全体の弾性力や反発力を高めることはできず、開放した上蓋を、ヒンジの反発力のみで十分に開口させる力は、依然、脆弱な状態にあった。また、上蓋の回転範囲を広くすることは可能になったが、ヒンジ全体の弾性力や反発力が未だ非力なために、施蓋時の上蓋のぶれが大きくなり、口径の大きな注口を施蓋する場合など、上蓋が注口に接触する虞を完全に解消することはできなかった。
【０００９】
そこで本発明は、上述の課題を解消すべく創出されたもので、ヒンジ全体の弾性力や反発力を高め、開放した上蓋をヒンジの反発力のみで開口させる力が強くしかも、口径の大きな注口を施蓋する場合でも、上蓋が注口に接触することなく施蓋することが可能になるヒンジ付キャップの提供を目的とするものである。
【００１０】
【課題を解決するための手段】
上述の課題を解消するため本発明は、上面に注口１１を突設し容器の口部に装着する蓋本体１０と、この蓋本体１０の注口１１を施蓋する上蓋２０と、これら蓋本体１０と上蓋２０とを揺動自在に連結するヒンジ３０とを設けたヒンジ付キャップにおいて、ヒンジ３０は、蓋本体１０の側面と上蓋２０の側面とを一体に連結する左右一対の連結片３１と、これら一対の連結片３１の間に設けられ蓋本体１０と上蓋２０とに連続する連結強化片３２とから成り、各連結片３１の各連結部に肉薄状の屈曲部３１Ａを左右で略ハの字形状を成すように形成すると共に、各連結片３１の長手中央部に肉薄状の屈曲溝３１Ｂを形成し、蓋本体１０の側面における連結片３１の連結位置、及び開放状態にある上蓋２０の側面における連結片３１の連結位置よりも上部の位置に連結強化片３２を連結し、この連結強化片３２の長手中央部に形成した屈曲溝３２Ｂが各連結片３１の屈曲溝３１Ｂよりも外側で屈曲するように設け、注口１１施蓋時に、連結片３１の屈曲溝３１Ｂの位置と連結強化片３２の屈曲溝３２Ｂの位置とが同一の水平線上に位置すると共に、連結片３１の屈曲溝３１Ｂがキャップの外側に向いて僅かに屈曲した状態で固定されるように設けたことを課題解消のための手段とする。
【００１１】
本発明によると、連結強化片３２がヒンジ全体の反発力を高め、開放した上蓋２０を、ヒンジ３０の反発力のみで十分に開口させると共に、一対の連結片３１によって回転範囲を大きくした上蓋２０の支持力を高めるものである。
【００１２】
【発明の実施の形態】
以下、図面に基づいて本発明の実施の形態を説明する。
【００１３】
本発明ヒンジ付キャップは、蓋本体１０と上蓋２０とヒンジ３０とで構成される（図３参照）。
【００１４】
蓋本体１０は、容器の口部に装着するものであり、蓋本体１０の上面に注口１１を突設している（図２参照）。この注口１１の開口縁は、容器内の液体を注出する際の液だれを防止するために、外がわに広がったフランジ状態を成しており後述する上蓋２０の下面に突設した嵌合リング２１を注口１１の内側面に嵌合して注口１１を密封する。また、注口１１の内部に切り離し容易に形成した切抜栓１３を設け、この切抜栓１３を指で切り離すための切離し用リング１４を切抜栓１３に連結している（図５参照）。更に、蓋本体１０上面の注口１１の周囲に係止リング１２を周設してあり、後述する上蓋２０施蓋時において、上蓋２０の側壁内側面に周設した当接段部２２に当接せしめている。
【００１５】
上蓋２０は、蓋本体１０の上部に被せて注口１１を施蓋するものである（図１参照）。この上蓋２０は、後述するヒンジ３０を介して蓋本体１０の側面に連結されており、施蓋時において、前記蓋本体１０の注口１１に嵌合する嵌合リング２１を蓋本体１０の下面に突設している。また、上蓋２０の側壁内側面に当接段部２２を周設し、施蓋時に前記蓋本体１０の係止リング１２上端面にこの当接段部２２を当接せしめるものである（図４参照）。更に、この当接段部２２の一部を係止リング１２側に突出形成し、係止リング１２に係止する係止片２３を設けている。このとき、係止片２３の係止操作を確実にするために、係止リング１２の上端部に、係止片２３に弾性係止する係止フランジ１２Ａを設けている。図示の係止片２３は、上蓋２０の外側面に突設した指掛け片２４の両側に設けられている。また、この指掛け片２４は、蓋本体１０と上蓋２０とを連結するヒンジ３０の装着位置に対向する位置に配置されている。指掛け片２４と係止片２３とをこのように配置することで、係止片２３による係止及び解除操作を、指掛け片２４で容易に操作することができる。
【００１６】
ヒンジ３０は、蓋本体１０の側面と上蓋２０の側面とを一体に連結する左右一対の連結片３１と、これら一対の連結片３１の間に設けられ蓋本体１０と上蓋２０とに連続する連結強化片３２とで構成される（図３参照）。
【００１７】
各連結片３１の各連結部には、肉薄状の屈曲部３１Ａを左右で略ハの字形状を成すように形成している。また、各連結片３１の長手中央部に肉薄状の屈曲溝３１Ｂを形成して、上蓋２０の回転範囲が広くなるように設けている（図４参照）。更に、上蓋２０施蓋時において、連結片３１の屈曲溝３１Ｂがキャップの外側に向いて僅かに屈曲した状態で固定されるように設けている（図３参照）。このように形成することで、上蓋２０の回転範囲が更に広くなり、蓋本体１０に大口径の注口１１を設けても、余裕をもって回避できる。
【００１８】
連結片３１は、施蓋時において図６（イ）乃至（ニ）に示す動きとなる。すなわち、同図（イ）に示す如く開放状態にある上蓋２０を同図（ロ）に示すように持ち上げて行き、上蓋２０が蓋本体１０の上部に近付くに連れて同図（ハ）に示すように屈曲溝３１Ｂが曲り始める。そして、施蓋時において、同図（ニ）に示す如く、屈曲溝３１Ｂが本発明キャップの外側に向いて若干屈曲した状態で固定されるものである。
【００１９】
連結強化片３２は、一対の連結片３１の間に設けられたもので、蓋本体１０の側面における連結片３１の連結位置、及び開放状態にある上蓋２０の側面における連結片３１の連結位置よりも上部の位置に連結強化片３２を設けてある（図１参照）。また、連結強化片３２の長手中央部に屈曲溝３２Ｂを形成している（図４参照）。前記連結片３１の屈曲溝３１Ｂは、断面が略Ｖ字形状を成しているのに対し、連結強化片３２の屈曲溝３２Ｂは、断面が略台形状を成すように形成している（図５参照）。また、連結強化片３２の連結部３２Ａは、連結強化片３２の肉厚をそのまま維持した状態で連結している。このように形成した連結強化片３２は、強力な反発力と弾性力とを備えたものになる。更に、上蓋２０が注口１１を施蓋した時のヒンジ３０において、連結片３１の屈曲溝３１Ｂの位置と連結強化片３２の屈曲溝３２Ｂの位置とが同一の水平線上に位置するように設けている（図３参照）。こうすることによって、連結強化片３２の反発力と弾性力を、連結片３１の反発力と弾性力に一体化させることができる。
【００２０】
本発明により注口１１に上蓋２０を施蓋する場合、連結片３１と連結強化片３２は次のように作用する。すなわち、連結強化片３２の反発力が作用して上蓋２０を連結強化片３２側に引き寄せるのに対して、この連結強化片３２よりも蓋本体１０側において連結片３１が上蓋２０を引き付けるので、連結強化片３２方向への引き付け力が相殺される。この結果、上蓋２０の位置ずれを修正することができ、上蓋２０の真上から蓋本体１０が被着できるようになる。一方、上蓋２０を開放する場合は、図２に示す位置まで上蓋２０を持ち上げると、連結強化片３２の強力な反発力で上蓋２０を勢い良く開放させることができるものである。
【００２１】
【発明の効果】
本発明は上述の如く構成したことにより当初の目的を達成した。
【００２２】
すなわち、上面に注口１１を突設し容器の口部に装着する蓋本体１０と、この蓋本体１０の注口１１を施蓋する上蓋２０と、これら蓋本体１０と上蓋２０とを揺動自在に連結するヒンジ３０とを設けたヒンジ付キャップにおいて、ヒンジ３０は、蓋本体１０の側面と上蓋２０の側面とを一体に連結する左右一対の連結片３１と、これら一対の連結片３１の間に設けられ蓋本体１０と上蓋２０とに連続する連結強化片３２とから成り、各連結片３１の各連結部に肉薄状の屈曲部３１Ａを左右で略ハの字形状を成すように形成すると共に、各連結片３１の長手中央部に肉薄状の屈曲溝３１Ｂを形成したことにより、連結強化片３２が連結片３１を補強してヒンジ３０全体の弾性力や支持力を高めることができる。
【００２３】
また、蓋本体１０の側面における連結片３１の連結位置、及び開放状態にある上蓋２０の側面における連結片３１の連結位置よりも上部の位置に連結強化片３２を連結し、この連結強化片３２の長手中央部に形成した屈曲溝３２Ｂが各連結片３１の屈曲溝３１Ｂよりも外側で屈曲するように設けたことで、一対の連結片３１によって回転範囲を大きくした上蓋２０の支持力を連結強化片３２が高め、上蓋２０が注口１１に接触することなく施蓋することが可能になった。
【００２４】
更に、上蓋２０による注口１１施蓋時のヒンジ３０において、連結片３１の屈曲溝３１Ｂの位置と連結強化片３２の屈曲溝３２Ｂの位置とが同一の水平線上に位置するから、連結片３１と連結強化片３２との反発力が一体化され、開放した上蓋を、ヒンジの反発力のみで開口させる力が強くなった。
【００２５】
しかも、連結片３１の屈曲溝３１Ｂがキャップの外側に向いて僅かに屈曲した状態で固定されるから、口径の大きな注口を施蓋する場合でも、上蓋２０が注口１１に接触することなく余裕をもって施蓋することができる。
【００２６】
このように本発明によると、ヒンジ全体の弾性力や反発力を高め、開放した上蓋をヒンジの反発力のみで開口させる力が強くなり、しかも、口径の大きな注口を施蓋する場合でも、上蓋が注口に接触することなく施蓋することが可能になるなどといった有益な種々の効果を奏するものである。
【図面の簡単な説明】
【図１】  本発明キャップにおいて上蓋を開放した状態を示す斜視図である。
【図２】  本発明キャップにおいて上蓋を施蓋する状態を示す斜視図である。
【図３】  本発明キャップにおいて上蓋を施蓋した状態のヒンジを示す斜視図である。
【図４】  本発明キャップにおいて上蓋を開放した状態を示す平面図である。
【図５】  本発明キャップにおいて上蓋を施蓋する状態を示す側断面図である。
【図６】  本発明キャップにおいて上蓋を施蓋する際の連結片の動きを示す要部側面図である。
【図７】  従来のヒンジ付キャップにおいて上蓋を施蓋する状態を示す要部側断面図である。
【符号の説明】
１  上蓋
２  注口
３  係止突状
１０  蓋本体
１１  注口
１２  係止リング      １２Ａ  係止フランジ
１３  切抜栓
１４  切離し用リング
２０  上蓋
２１  嵌合リング
２２  当接段部
２３  係止片
２４  指掛け片        ３０  ヒンジ
３１  連結片          ３１Ａ  屈曲部
３１Ｂ  屈曲溝
３２  連結強化片      ３２Ａ  連結部
３２Ｂ  屈曲溝
【図１】
0003677676.tif 000002
【図２】
0003677676.tif 000003
【図３】
0003677676.tif 000004
【図４】
0003677676.tif 000005
【図５】
0003677676.tif 000006
【図６】
0003677676.tif 000007
【図７】
0003677676.tif 000008